(57)【特許請求の範囲】
【請求項１】
側部と底部とから成り、側部は真空断熱二層構造が採用され、底部は一層構造が採用された容器体を製造する方法であって、側壁と底開口部を有する底壁とから成り上部が開口した外容器体の内部に、上部に前記外容器体の側壁の上部を隠蔽するカール加工部を設けた側壁と底壁とから成り上部が開口した内容器体を重合状態で配設して該内容器体の底壁の一部を前記底部とするとともに、前記内容器体と前記外容器体を前記カール加工部の内面と前記外容器体の上端縁との間に隙間が形成されるようにし、続いて、前記内容器体と外容器体を底壁が上側となる状態となるようにするとともに、外容器体の底開口部の周縁部と内容器体の底壁との間に下部ロウ付材を挟持状態で配設し且つ前記外容器体の側壁の外面と前記カール加工部との境界部に上部ロウ付材を配設し、続いて、この重合状態の内容器体と外容器体とを真空加熱炉に配設し、前記下部ロウ付材を熔融せしめて内容器体に対して外容器体を降下摺動させ、その後、該下部ロウ付材及び前記上部ロウ付材を固化させて前記内容器体の側壁の上部と前記外容器体の側壁の上部とを接合すると共に前記内容器体の底壁と前記外容器体の底開口部の周縁部とを接合し且つ前記内容器体の側壁と前記外容器体の側壁との間を真空封止することで、前記側部に真空断熱層を形成することを特徴とする容器体の製造方法。
【請求項２】
請求項１記載の容器体の製造方法において、外容器体の側壁の上部に外方に向けて突出する鍔部を設け、内容器体の側壁の上部にカール加工部を形成して該カール加工部により前記鍔部を被覆し、その後、重合状態の内容器体と外容器体を底壁が上側となる状態にすると共に、該外容器体の側壁の外面と前記カール加工部との境界部及びカール加工部の内側にして該カール加工部と前記鍔部との間に夫々上部ロウ付材を配設して該重合状態の内容器体と外容器体とを真空加熱炉に配設することを特徴とする容器体の製造方法。
【請求項３】
請求項１，２いずれか１項に記載の容器体の製造方法において、内容器体の側壁の上部に形成したカール加工部3は、断面視Ｃ字状に構成され、更にこの断面視Ｃ字状のカール加工部の先端部に上方に折曲して延設され外容器体の側壁の外面に添設される添設部が設けられたカール加工部であり、且つ、外容器体と内容器体とは、内容器体に対して外容器体が上下摺動可能となるように配設され、この外容器体の上下摺動は、前記添設部にガイドされてなされる重合状態であることを特徴とする容器体の製造方法。
【請求項４】
請求項１〜３いずれか１項に記載の容器体の製造方法において、内容器体の底壁に外容器体の底壁の底開口部から突出して該外容器体に対する該内容器体の径方向の位置を決定する位置決め突部を設け、この位置決め突部の外縁と底開口部の縁との間に間隙を設け、外容器体の内部に内容器体を重合状態で配設し前記位置決め突部を前記底開口部から突出せしめて内容器体の底壁の一部を前記底部とし、続いて、前記内容器体の側部の上部と前記外容器体の側部の上部との間に上部ロウ付材を配設せしめと共に、前記位置決め突部の外縁と底開口部の縁との間の間隙からロウ付材を該外容器体の底開口部の周縁部と内容器体の底壁との間に挟持状態で配設することを特徴とする容器体の製造方法。
【請求項５】
請求項１〜４いずれか１項に記載の容器体の製造方法において、外容器体の底開口部の周縁部の上面を水平面に設定し、内容器体に該水平面と面当接する水平面を設け、この外容器体の水平面と内容器体の水平面との間に下部ロウ付材を挟持状態で配設せしめることを特徴とする容器体の製造方法。
【請求項６】
側部と底部とから成り、側部は真空断熱二層構造が採用され、底部は一層構造が採用された容器体を製造する方法であって、側壁と底壁とから成り上部が開口した外容器体の内部に、上部に前記外容器体の側壁の上部を隠蔽するカール加工部を設けた側壁と底開口部を有する底壁とから成り上部が開口した内容器体を重合状態で配設して該外容器体の底壁の一部を前記底部とするとともに、前記内容器体と前記外容器体を前記カール加工部の内面と前記外容器体の上端縁との間に隙間が形成されるようにし、続いて、前記内容器体と外容器体を底壁が上側となる状態となるようにするとともに、内容器体の底開口部の周縁部と外容器体の底壁との間に下部ロウ付材を挟持状態で配設し且つ前記外容器体の側壁の外面と前記カール加工部との境界部に上部ロウ付材を配設し、続いて、この重合状態の内容器体と外容器体とを真空加熱炉に配設し、前記下部ロウ付材を熔融せしめて内容器体に対して外容器体を降下摺動させ、その後、該下部ロウ付材及び前記上部ロウ付材を固化させて前記内容器体の側壁の上部と前記外容器体の側壁の上部とを接合すると共に前記外容器体の底壁と前記内容器体の底開口部の周縁部とを接合し且つ前記内容器体の側壁と前記外容器体の側壁との間を真空封止することで、前記側部に真空断熱層を形成することを特徴とする容器体の製造方法。
【発明の詳細な説明】
【０００１】
【発明の属する技術分野】
本発明は、調理鍋等の容器体の製造方法に関するものである。
【０００２】
【従来の技術及び発明が解決しようとする課題】
シチュー等の煮込み料理を作る鍋として、容器を内容器と外容器とから成る二層構造とした保温性の高い調理鍋（容器体）が種々提案されている。尚、この調理鍋を用いての煮込み料理は、該調理鍋をコンロや電磁調理器等の加熱装置上に載置して調理物をある程度まで煮込んだ後、該加熱装置上から調理鍋を除去し、そのまま該調理鍋の保温性を利用して煮込みを進行させて作るものである。
【０００３】
しかし、この種の二層構造の調理鍋は、底部が内容器の底壁と外容器の底壁とから成る二層構造である為、加熱装置での加熱が二層構造である分、調理物に伝達されにいという問題があり、更に、内容器と外容器との間を保温性の高い真空断熱層にした場合、より一層調理物に伝達されにくくなる。
【０００４】
従って、二層構造を採用する場合には、内容器の底壁と外容器の底壁とは密着状態にする手段が採用されるが、このような手段を採用しても、わずかな歪みや寸法誤差によって内容器の底壁と外容器の底壁との間に真空断熱層が形成されてしまうことがあり、しかも、この内容器の底壁と外容器の底壁との間に形成された該真空断熱層は、存在の有無を確認する有効な手段が無い。
【０００５】
更に、この種の二層構造の調理鍋は、内容器と外容器との間を空気断熱層とした場合、空気断熱層が真空断熱層より熱損失が大きいことは勿論、空気膨張による爆発事故が報告され、安全性に問題がある。
【０００６】
本発明は、上記問題点を解決し得る調理鍋を効率的に製造する技術を提供するものである。
【０００７】
【課題を解決するための手段】
添付図面を参照して本発明の要旨を説明する。
【０００８】
側部２と底部３とから成り、側部２は真空断熱二層構造が採用され、底部３は一層構造が採用された容器体４を製造する方法であって、側壁７ａと底開口部９を有する底壁７ｂとから成り上部が開口した外容器体７の内部に、上部に前記外容器体７の側壁７ａの上部を隠蔽するカール加工部23を設けた側壁６ａと底壁６ｂとから成り上部が開口した内容器体６を重合状態で配設して該内容器体６の底壁６ｂの一部を前記底部３とするとともに、前記内容器体６と前記外容器体７を前記カール加工部23の内面と前記外容器体７の上端縁との間に隙間27が形成されるようにし、続いて、前記内容器体６と外容器体７を底壁６ｂ・７ｂが上側となる状態となるようにするとともに、外容器体７の底開口部９の周縁部10と内容器体６の底壁６ｂとの間に下部ロウ付材12を挟持状態で配設し且つ前記外容器体７の側壁７ａの外面と前記カール加工部23との境界部に上部ロウ付材21を配設し、続いて、この重合状態の内容器体６と外容器体７とを真空加熱炉に配設し、前記下部ロウ付材12を熔融せしめて内容器体６に対して外容器体７を降下摺動させ、その後、該下部ロウ付材12及び前記上部ロウ付材21を固化させて前記内容器体６の側壁６ａの上部と前記外容器体７の側壁７ａの上部とを接合すると共に前記内容器体６の底壁６ｂと前記外容器体７の底開口部９の周縁部10とを接合し且つ前記内容器体６の側壁６ａと前記外容器体７の側壁７ａとの間を真空封止することで、前記側部２に真空断熱層８を形成することを特徴とする容器体の製造方法に係るものである。
【０００９】
また、請求項１記載の容器体の製造方法において、外容器体７の側壁７ａの上部に外方に向けて突出する鍔部26を設け、内容器体６の側壁６ａの上部にカール加工部23を形成して該カール加工部23により前記鍔部26を被覆し、その後、重合状態の内容器体６と外容器体７を底壁６ｂ・７ｂが上側となる状態にすると共に、該外容器体７の側壁７ａの外面と前記カール加工部23との境界部及びカール加工部23の内側にして該カール加工部23と前記鍔部26との間に夫々上部ロウ付材21・25を配設して該重合状態の内容器体６と外容器体７とを真空加熱炉に配設することを特徴とする容器体の製造方法に係るものである。
【００１０】
また、請求項１，２いずれか１項に記載の容器体の製造方法において、内容器体６の側壁６ａの上部に形成したカール加工部23は、断面視Ｃ字状に構成され、更にこの断面視Ｃ字状のカール加工部23の先端部に上方に折曲して延設され外容器体７の側壁７ａの外面に添設される添設部24が設けられたカール加工部23であり、且つ、外容器体７と内容器体６とは、内容器体６に対して外容器体７が上下摺動可能となるように配設され、この外容器体７の上下摺動は、前記添設部24にガイドされてなされる重合状態であることを特徴とする容器体の製造方法に係るものである。
【００１１】
また、請求項１〜３いずれか１項に記載の容器体の製造方法において、内容器体６の底壁６ａに外容器体７の底壁７ａの底開口部９から突出して該外容器体７に対する該内容器体６の径方向の位置を決定する位置決め突部13を設け、この位置決め突部13の外縁と底開口部９の縁との間に間隙を設け、外容器体７の内部に内容器体６を重合状態で配設し前記位置決め突部13を前記底開口部９から突出せしめて内容器体６の底壁６ｂの一部を前記底部３とし、続いて、前記内容器体６の側部６ａの上部と前記外容器体７の側部７ａの上部との間に上部ロウ付材21を配設せしめと共に、前記位置決め突部13の外縁と底開口部９の縁との間の間隙からロウ付材12を該外容器体７の底開口部９の周縁部10と内容器体６の底壁６ｂとの間に挟持状態で配設することを特徴とする容器体の製造方法に係るものである。
【００１２】
また、請求項１〜４いずれか１項に記載の容器体の製造方法において、外容器体７の底開口部９の周縁部10の上面を水平面に設定し、内容器体６に該水平面と面当接する水平面を設け、この外容器体７の水平面と内容器体６の水平面との間に下部ロウ付材12を挟持状態で配設せしめることを特徴とする容器体の製造方法に係るものである。
【００１３】
また、側部２と底部３とから成り、側部２は真空断熱二層構造が採用され、底部３は一層構造が採用された容器体４を製造する方法であって、側壁７ａと底壁７ｂとから成り上部が開口した外容器体７の内部に、上部に前記外容器体７の側壁７ａの上部を隠蔽するカール加工部23を設けた側壁６ａと底開口部を有する底壁６ｂとから成り上部が開口した内容器体６を重合状態で配設して該外容器体７の底壁７ｂの一部を前記底部３とするとともに、前記内容器体６と前記外容器体７を前記カール加工部23の内面と前記外容器体７の上端縁との間に隙間27が形成されるようにし、続いて、前記内容器体６と外容器体７を底壁６ｂ・７ｂが上側となる状態となるようにするとともに、内容器体６の底開口部の周縁部と外容器体７の底壁７ｂとの間に下部ロウ付材12を挟持状態で配設し且つ前記外容器体７の側壁７ａの外面と前記カール加工部23との境界部に上部ロウ付材21を配設し、続いて、この重合状態の内容器体６と外容器体７とを真空加熱炉に配設し、前記下部ロウ付材12を熔融せしめて内容器体６に対して外容器体７を降下摺動させ、その後、該下部ロウ付材12及び前記上部ロウ付材21を固化させて前記内容器体６の側壁６ａの上部と前記外容器体７の側壁７ａの上部とを接合すると共に前記外容器体７の底壁７ｂと前記内容器体６の底開口部の周縁部とを接合し且つ前記内容器体６の側壁６ａと前記外容器体７の側壁７ａとの間を真空封止することで、前記側部２に真空断熱層８を形成することを特徴とする容器体の製造方法に係るものである。
【００１４】
【発明の作用及び効果】
本発明により製造される容器体４は、側部２は真空断熱二層構造が採用されているから高い保温性を発揮し、しかも、底部３は一層構造が採用されているから該容器体４に入れる調理物に良好に伝熱することができ、よって、高い保温性と調理物への良好な伝熱性とを兼ね備えたものとなる。
【００１５】
ところで、従来の二層構造の容器体は、上部開口部と側壁と底壁とを夫々有する内容器体と外容器体とを重合せしめ、この内容器体の上部と外容器体の上部との間にロウ付材を配設し、該重合状態の内容器体と外容器体とを真空加熱炉に入れ、内容器体と外容器体との間を真空にすると共に前記ロウ付材を熔融せしめて該内容器体の上部と外容器体の上部を封止することで該内容器体と外容器体との間に真空断熱層を形成している。
【００１６】
本発明は、上記従来の二層構造の容器体の製造方法と同様に、効率的な製造が可能となる。
【００１７】
更に、本発明は、容器体４の底部３を一層構造とする為の外容器体７の底開口部９を利用して該底開口部９の縁と内容器体６の底壁６ｂとの間からロウ付材12を導入するから、該ロウ付材12を真空封止に適した位置に簡単且つ確実に配設することができる。
【００１８】
本発明は上述のようにするから、高い保温性と調理物への良好な伝熱性とを兼ね備えた容器体を簡単且つ効率的に製造できる実用性に秀れた容器体の製造方法となる。
【００１９】
【発明の実施の形態】
図１〜３は第一実施例、図４は第二実施例、図５は第三実施例を図示したものであり、以下に説明する。
【００２０】
第一実施例は、内容器体６の側壁６ａの上部と外容器体７の側壁７ａの上部を予め接合してから、該内容器体６の側壁６ａと外容器体７の側壁７ａとの間に真空断熱部８を形成することで、上部開口部１と側部２と底部３とを有し、側部２は真空断熱二層構造が採用され、底部３は一層構造が採用された容器体４を製造する方法である。
【００２１】
先ず、この容器体４の構成について詳述する（図１参照）。
【００２２】
容器体４の側部２は、前記内容器体６の側壁６ａ，前記外容器体７の側壁７ａ及び両者の間に設けられた真空断熱層８から成る真空断熱二層構造が採用され、前記容器体４の底部３は、前記内容器体６の底壁６ｂのみが存在する一層構造が採用されている。
【００２３】
また、内容器体６の底壁６ｂには、外容器体７の該内容器体６に対する径方向の位置を決定する位置決め突部13が設けられている。尚、図面の位置決め突部13は、底開口部９の内縁と略嵌合する構造を図示している。
【００２４】
更に、位置決め突部13の下面は、外容器体７の底壁７ｂより下方に位置するように構成されている。従って、この外容器体７の底開口部９から突出する内容器体６の位置決め突部13の下面と、外容器体７の底開口部９の周縁部10の下面との間には段差が形成され、容器体４を水平面に載置した際、該水平面には内容器体６の位置決め突部13のみが当接することになる。
【００２５】
尚、前記段差は、約０．３ｍｍ程度が良い。
【００２６】
また、内容器体６の位置決め突部13の外縁と外容器体７の底開口部９の縁との間には、後記ロウ付材12が配設される間隙が設けられている。
【００２７】
また、内容器体６の位置決め突部13の中央部には、凹部14が設けられている。
【００２８】
また、内容器体６の底壁６ｂ、具体的に、前記位置決め突部13の周縁には、外容器体７の底開口部９の周縁部10が嵌合する嵌合凹部11が設けられている。
【００２９】
また、この嵌合凹部11の下面は、水平面に設定されている。尚、第一実施例における水平とは、容器体４を水平面に載置した際の略水平という意味である。
【００３０】
外容器体７に設けられた前記底開口部９の周縁部10の上面は、前記下面が水平面に設定された嵌合凹部11と面当接し得るように水平面に設定されている。
【００３１】
尚、この周縁部10の上面と嵌合凹部11の下面との面当接部位は、位置決め突部13の周囲に所定巾を有するリング状に形成されるが、この所定巾が５ｍｍ程度となるように該周縁部10や嵌合凹部11の水平面を設定すると良い。
【００３２】
また、内容器体６の肉厚は外容器体７の肉厚より厚く設定されている。この点詳述すると、第一実施例は、容器体４の底部３の略全面を内容器体６の底壁６ｂのみの一層構造とする為、容器体４の強度上の観点から、内容器体６はある程度肉厚が厚いものが採用される。一方、外容器体７も内容器体６と同様の肉厚とすると、容器体４の重量が重くなって取り扱い性が悪化する為、この容器体４の取り扱い性の観点から、外容器体７はある程度肉厚が薄いものが採用される。
【００３３】
容器体４の上部内面、具体的に、内容器体６の側壁６ａの上部内面には、容器体４の上部開口部１を閉塞する蓋体５を載置し得る蓋載置段部15と、中蓋体16を載置し得る中蓋載置段部17が設けられている。
【００３４】
中蓋体16は、本体は透明ガラス製で、且つ、上部中央部に摘持部18が設けられたものが採用されている。
【００３５】
蓋体５は、本体の内部に断熱材が充填され、且つ、上部中央部に摘持部19が設けられたものが採用されている。
【００３６】
符号20は、容器体４若しくは容器体そのものを持ち運ぶ際に把持する把持部20である。
【００３７】
次に、容器体４の製造方法について詳述する。
【００３８】
先ず、内容器体６と外容器体７を形成する。
【００３９】
この内容器体６と外容器体７は、共に金属製の筒状体を変形加工して形成する。
【００４０】
内容器体６の底部６ｂに、前記位置決め突部13を形成する。また、この位置決め突部13は、外容器体７の底開口部９の略全域から該位置決め突部13が突出し、且つ、この位置決め突部13の下面が外容器体７の底開口部９の内縁の下面より下方に突出し得るように形成する。また、この位置決め突部13の外縁は底開口部９の内縁より径小に設定しており、この径の差により、該位置決め突部13の外縁と底開口部９の内縁との間から後記下部ロウ付材12を導入し得るように設定している。
【００４１】
また、内容器体６の位置決め突部13の周縁には、前記外容器体７の底開口部９の周縁部10が嵌合して該周縁部10の上面と水平面同志で接合される嵌合凹部11を形成する。
【００４２】
また、内容器体６の位置決め突部13の略中央部には、凹部14を形成する。
【００４３】
また、内容器体６の側部６ａの上部には、前記蓋載置段部15及び前記中蓋載置段部17を形成する。
【００４４】
外容器体７の底部７ｂの略全域には底開口部９を形成する。
【００４５】
また、外容器体７の底開口部９の周縁部10の上面には前記嵌合凹部11の下面と水平面同志で接合される水平面を形成する。
【００４６】
尚、必要に応じて内容器体６の上部や外容器体７の上部に両者を良好に接合する為の構造を形成しても良い。
【００４７】
次に、この内容器体６と外容器体７を接合し、容器体４とする。
【００４８】
先ず、内容器体６と外容器体７とを重合状態とする。この状態において、外容器体７の底開口部９から位置決め突部13が突出し、該内容器体６と外容器体７とは径方向に対して位置決めされることになる。
【００４９】
続いて、内容器体６の側壁６ａの上部と外容器体７の側壁７ａの上部とを接合する。この側壁６ａ・７ａの上部同志の接合は、例えば、アルゴン溶接等により行う。
【００５０】
続いて、重合状態の内容器体６と外容器体７における内容器体６の位置決め突部13の周縁と外容器体７の底開口部９の縁との間から所定温度で熔融するロウ付材12を導入し、該ロウ付材12を内容器体６の嵌合凹部11と外容器体７の底開口部９の周縁部10との間に挟持状態で配設する（図２参照）。尚、図面はロウ付材12として線材状のものを採用し、該線材状のロウ付材12を外容器体７の底開口部９の周縁部10にリング状に配設する場合を図示している。
【００５１】
続いて、ロウ付材12が配設され且つ重合状態の内容器体６及び外容器体７を真空加熱炉に導入する。
【００５２】
続いて、真空加熱炉内を真空にしていくことで、前記内容器体６の位置決め突部13の外縁と外容器体７の底開口部９の内縁との間から該内容器体６の側壁６ａと外容器体７の側壁７ａとの間の空気を徐々に抜いて真空にしていく。また、真空加熱炉内を真空にしていく際、真空加熱炉内を加熱して前記ロウ付材12の熔融温度に近づけていく。
【００５３】
続いて、真空加熱炉内が真空となることで前記内容器体６の側壁６ａと外容器体７の側壁７ａとの間を真空とした後、真空加熱炉内を前記ロウ付材12が熔融する温度に加熱して該ロウ付材12を熔融せしめ、内容器体６の側壁６ａと外容器体７の側壁７ａとの間を真空封止する。この際、熔融したロウ付材12の殆どは、内容器体６の嵌合凹部11と外容器体７の底開口部９の周縁部10との間に行き渡る。また、ロウ付材12の余剰分は、該ロウ付材12の配設に利用した内容器体６の位置決め突部13の外縁と外容器体７の底開口部９の内縁との間から漏洩し、該部位に溜まることができる。
【００５４】
続いて、真空加熱炉内を冷却することで前記熔融したロウ付材12を固化せしめ、内容器体６の側壁６ａと外容器体７の側壁７ａとの間に真空断熱層８を形成する。
【００５５】
以上の工程により、上部開口部１と側部２と底部３とを有し、側部２は内容器体６の側壁６ａと外容器体７の側壁７ａと真空断熱層８から成る真空断熱二層構造が採用され、底部３は内容器体６の底壁６ｂのみが存在する一層構造が採用された容器体４を製造することができる。
【００５６】
この第一実施例の容器体４と、真空断熱層８を空気断熱層とした以外は全く第一実施例の容器体４と同じ構造の比較例とで水を１００℃に沸騰させた後の温度低下がどのようになるか、比較実験を行ったところ、１，２，３時間後の温度は、第一実施例の容器体４では夫々７９.２℃，６９.２℃，６１.８℃であったが、比較例では夫々７３.２℃，６３.２℃，５６.７℃であった。このように第一実施例の容器体４は温度低下が緩やかであるから、当該第一実施例の容器体４を用いて良好な煮込み料理を行えるものと推測される。即ち、煮込み料理において調理物に味が良くしみ込む場面は、加熱が終了した後に温度がある程度低下する場面と言われており、第一実施例は前記緩やかな温度低下期間を有効利用して味の良い煮込み料理を調理できると推測される。
【００５７】
第一実施例は上述のようにするから、高い保温性と調理物への良好な伝熱性とを兼ね備えた容器体４を従来の二層構造の容器体と同様の方法によって効率的に製造できる実用性，生産性に秀れた容器体の製造方法となる。
【００５８】
また、ロウ付材12は、容器体４の底部３を一層構造とする為の外容器体７の底開口部９を利用して該底開口部９の縁と内容器体６の位置決め突部13の周縁との間から導入するから、該ロウ付材12の配設は非常に簡単に行うことができ、この点においても実用性，生産性に秀れることになる。
【００５９】
また、熔融したロウ付材12の余剰分が内容器体６の位置決め突部13の周縁と外容器体７の底開口部９の縁との間の溜まることができるから、内容器体６の底壁６ｂと外容器体７の底壁７ｂとの間にロウ付材12が適正に介在することになり、内容器体６と外容器体７との接合を適正に行うことができる。更に、余剰分のロウ付材12が容器体４の外部に突出したりせず、よって、該余剰分のロウ付材12を除去する工程が不要で生産性も高いことになる。
【００６０】
また、容器体４の底部３は、調理物と直接当接する内容器体６の底壁６ｂとなるから、この底部３に加えられた熱が非常に良好に調理物に伝達されることになり、この点においても伝熱性に秀れた容器体４が得られることになる。
【００６１】
また、従前の空気断熱タイプの容器体では、空気膨張により外容器体から内容器体が突然飛び出すという事故が報告されているが、第一実施例により製造された容器体４は真空断熱構造が採用されているから、このような事故のおそれはなく、安全性に秀れたものとになる。
【００６２】
また、内容器体６の位置決め突部13が単なる位置決め突部であると、容器体４を電磁調理器に載置した際、前記位置決め突部の僅かな凹凸により、該容器体４が位置決め突部の中央部（容器体４の重心に相当）を支点にコマのように回転してしまう現象が起こることがあるが、第一実施例により製造された容器体４では、位置決め突部13の中央部が凹部14であるから、該凹部14が回転に支点になることはあり得ず、よって、前記回転現象の問題も解消されることになる。
【００６３】
また、内容器体６の嵌合凹部11に外容器体７の底開口部９の周縁部10を嵌合するから、この内容器体６と外容器体７とが強固に固定されることになり、容器体４の強度が秀れることになる。
【００６４】
また、この内容器体６の嵌合凹部11と外容器体７の底開口部９の周縁部10とを水平面同志で接合するから、容器体４の底部３に内容器体６と外容器体７が接合している部位が所定巾を有するリング状に形成され、この面接合部位によって容器体４の底部３の強度をより一層高めることになる。
【００６５】
また、内容器体６の位置決め突部13や嵌合凹部11等は、筒状体を変形加工することによって形成しているから、加工硬化によって強度が高く、この強度の高い位置決め突部13や嵌合凹部11等によっても容器体４が補強され、この点においても強度の高い容器体４が得られることになる。
【００６６】
また、内容器体６の肉厚を外容器体７の肉厚より厚く設定したから、容器体４の底部３の強度を保ちつつ、軽くて取り扱い性に秀れた容器体４を製造することができる。
【００６７】
また、内容器体６の底壁６ｂの位置決め突部13が外容器体７の底壁７ｂに設けられた底開口部９より突出せしめているから、製造された容器体４を水平面に載置した際、底開口部９の周縁が前記水平面を傷つけたりせず、よって、容器体４を載置する部位が水平面の電磁調理器を傷つけたりすることが防止され、この点においても実用性に秀れた容器体４を製造することができる。
尚、第一実施例は、容器体４の底部３を内容器体６の底壁６ｂによって形成する場合を説明したが、例えば、内容器体６の底壁６ｂに底開口部を設け、この底開口部から外容器体７の底壁７ｂが容器体４の内面に露出せしめて容器体４の底部３を形成する方法を採用しても良い。
【００６８】
第二実施例は、第一実施例と異なり、内容器体６の側壁６ａの上部と外容器体７の側壁７ａの上部を予め接合せず、該内容器体６の側壁６ａの外容器体７の側壁７ａの間に真空断熱層８を形成する際に、内容器体６の側壁６ａの上部と外容器体７の側壁７ａの接合、及び、内容器体６の底壁６ｂ（位置決め突部13の周縁）と外容器体７の底壁７ｂ（底開口部９の周縁部10）の接合を同時に行うことで、上部開口部１と側部２と底部３とを有し、側部２は真空断熱二層構造が採用され、底部３は一層構造が採用された容器体４を製造するものである。
【００６９】
この第二実施例では、内容器体６の側壁６ａの上部と外容器体７の側壁７ａの上部とを上部ロウ付材21で接合し、内容器体６の底壁６ｂと外容器体７の底壁７ｂとを前記第一実施例と同様に下部ロウ付材12で接合する方法を採用している。
【００７０】
上部ロウ付材21及び下部ロウ付材12は、略同温で熔融するものを採用する。
【００７１】
下部ロウ付材12は、第一実施例と同様の方法により内容器体６の底壁６ｂと外容器体７の底壁７ｂとの間に配設する。一方、上部ロウ付材21は、内容器体６の側壁７ａの上部若しくは外容器体７の側壁７ａの上部に該上部ロウ付材21を配設する為の構造を設けてから配設する。
【００７２】
この上部ロウ付材21を配設する為の構造は、内容器体６の側壁６ａの上部に外容器体７の側壁７ａの上部を隠蔽するカール加工部23を形成することで設けている。従って、外容器体７内に内容器体６を重合せしめた際、前記カール加工部23は外容器体７の外方に突出し、このカール加工部23の下部と外容器体７の側壁７ａとの間に上部ロウ付材21を配設することができる。
【００７３】
また、前記カール加工部23は断面視Ｃ字状のものが採用され、この断面視Ｃ字状のカール加工部23は該カール加工部23の内側に折曲せしめられる（湾曲でも良い）ことで外容器体７の側壁７ａの外面に沿って上方に延設された添設部24を形成している。
【００７４】
また、内容器体６のカール加工部23は、内容器体６と外容器体７を重合させ且つ上部ロウ付材21及び下部ロウ付材12を夫々所定の位置に配設した状態において、該カール加工部23の上部内面と外容器体７の上端縁との間に間隙27が形成されるように設定している。
【００７５】
尚、このカール加工部23は、内容器体６と外容器体７を重合する前に形成しても、重合した後に形成しても良い。
【００７６】
以下、この第二実施例における内容器体６と外容器体７との接合方法及び真空断熱層８の形成方法について詳述する。
【００７７】
内容器体６と外容器体７を重合し、該内容器体６の位置決め突部13の周縁と外容器体７の底開口部９の縁の間から下部ロウ付材12を導入し、該ロウ付材12を内容器体６の嵌合凹部11と外容器体７の底開口部９の周縁部10との間に挟持状態で配設する点は第一実施例と同様である。
【００７８】
一方、上部ロウ付材21の配設は、重合状態の底壁６ｂ・７ｂが上側となる状態とし、この状態において、外容器体７の側壁７ａの外面と、該外容器体７の側壁７ａの外面から突出する前記カール加工部23との間に上部ロウ付材21を載置することにより行う（図４参照）。
【００７９】
尚、この重合状態で且つ底壁６ｂ・７ｂが上側となる状態の内容器体６と外容器体７に対して前記下部ロウ付材12の配設を行う方法を採用しても良い。
【００８０】
続いて、この重合状態で且つ底壁６ｂ・７ｂが上側となる状態の内容器体６と外容器体７を真空加熱炉に導入し、第一実施例と同様に該内容器体６の側壁６ａと外容器体７の側壁７ａの間を真空とし、続いて、前記上部ロウ付材21及び下部ロウ付材12を熔融せしめる。
【００８１】
この上部ロウ付材21及び下部ロウ付材12の熔融の際、前記カール加工部23の上部内面と外容器体７の上端縁との間に前記間隙27が存在するから、下部ロウ付材12が熔融すると内容器体６に対して外容器体７が前記添設部24に沿って降下摺動することができる。従って、この外容器体７の降下摺動により、該外容器体７の底壁７ｂと内容器体６の底壁６ａｂとの間隙、即ち、外容器体７の底開口部９の周縁部10と内容器体６の位置決め突部13の周縁に設けられた嵌合凹部11との間隙が適正なものとなり、該間隙に下部ロウ付材12が適正に行き渡ることになる。更に、この外容器体７の降下摺動により、前記外容器体７の側壁７ａの外面と前記カール加工部23との間に載置され且つ熔融した上部ロウ付材21が、該カール加工部23の添設部24と外容器体７の側壁７ａとの間に引き込まれ、よって、この上部ロウ付材21による接合も良好に行われる。
【００８２】
上部ロウ付材21及び下部ロウ付材12を熔融せしめた後、第一実施例と同様、真空加熱炉内を冷却することで前記熔融した上部ロウ付材21及び下部ロウ付材12を固化せしめ、内容器体６の側壁６ａと外容器体７の側壁７ａとの間に真空断熱層８を形成する。
【００８３】
第二実施例は上述のように、内容器体６と外容器体７の接合を真空断熱層８の形成と同時に行うから、それだけ工程が少なく、容器体４を簡単に製造できる実用性，生産性に秀れた容器体の製造方法となる。
【００８４】
また、上部ロウ付材21を配設する為の構造は、内容器体６にカール加工部23を形成するだけで設けているから、この構造の形成は簡易であり、この点においても生産性に秀れることになる。
【００８５】
また、上部ロウ付材21及び下部ロウ付材12を熔融せしめると内容器体６に対して外容器体７が降下摺動し得るから、該上部ロウ付材21及び下部ロウ付材12による内容器体６と外容器体７の接合を極めて適正に行うことができ、この点においても生産性，強度に秀れることになる。
【００８６】
尚、その余は第一実施例と同様である。
【００８７】
第三実施例は第二実施例の別例であり、外容器体７の側壁７ａの上部に外方に向けて突出する鍔部26を設け、この鍔部26を内容器体６に設けたカール加工部23で被覆し、このカール加工部23の内側にして該カール加工部23と前記鍔部26との間にも上部ロウ付材25を配設せしめるものである（図５参照）。
【００８８】
この第三実施例によれば、内容器体６のカール加工部23と外容器体７の側壁７ａとの接合は、該カール加工部23の先端部の上下に夫々配設される上部ロウ付材21・25によって行われるから、それだけ接合が確実に行われ、且つ、接合強度も高くなる。
【００８９】
更に、外容器体７に設けた鍔部26が熔融した上部ロウ付材21・25の受部となるから、該上部ロウ付材21・25が内容器体６のカール加工部23と外容器体７の側壁７ａとの接合に有効に利用され、よって、この点においても接合が確実且つ強固に行われる。
【００９０】
尚、図面はカール加工部23の上部内面と外容器体７の上端縁（第三実施例の場合鍔部26）との間に間隙が存在しない場合を図示したが、第二実施例と同様に該部位に間隙を設けて上部ロウ付材21・25及び下部ロウ付材12の熔融によって内容器体６に対して外容器体７が降下摺動し得るように構成しても良い。
【００９１】
また、その余は第二実施例と同様である。
【図面の簡単な説明】
【図１】  第一実施例の説明側断面図である。
【図２】  第一実施例の真空加熱炉に導入する前の容器体４の底部３の説明拡大側断面図である。
【図３】  第一実施例の真空加熱炉に導入した後の容器体４の底部３の説明拡大側断面図である。
【図４】  第二実施例の容器体４の上部（図１中の符号Ａ部分）の説明拡大側断面図である。尚、この図４は図１と上下逆向きである。
【図５】  第三実施例の容器体４の上部（図１中の符号Ａ部分）の説明拡大側断面図である。尚、この図５は図１と上下逆向きである。
【符号の説明】
２  側部
３  底部
４  容器体
５  蓋体
６  内容器体
６ａ  側壁
６ｂ  底壁
７  外容器体
７ａ  側壁
７ｂ  底壁
８  真空断熱層
９  底開口部
10  周縁部
11  嵌合凹部
12  ロウ付材，下部ロウ付材
13  位置決め突部
14  凹部
21  上部ロウ付材
23  カール加工部
24  添設部
25  上部ロウ付材
27 間隙
【図１】
0003723112.tif 000002
【図２】
0003723112.tif 000003
【図３】
0003723112.tif 000004
【図４】
0003723112.tif 000005
【図５】
0003723112.tif 000006